【手続補正書】
【提出日】平成18年11月30日(2006.11.30)
【手続補正１】
【補正対象書類名】明細書
【補正対象項目名】発明の名称
【補正方法】変更
【補正の内容】
【発明の名称】通信システム、制御局、基地局、及び端末
【手続補正２】
【補正対象書類名】明細書
【補正対象項目名】特許請求の範囲
【補正方法】変更
【補正の内容】
【特許請求の範囲】
【請求項１】
制御局により制御される複数の基地局から非同期に送信される制御情報を端末が同時に受信し、通信制御を行う通信システムにおいて、
上記基地局は、情報データと上記制御情報に対応する基準信号とを時間多重した単位送信データを送信する送信手段と、上記端末から送られてくる受信品質情報に基づいて上記送信手段の送信電力を制御する制御手段とを備え、
上記端末は、受信した最初の上記基準信号のみに基づいて受信品質情報を生成して上記基地局及び上記制御局に通知する受信品質情報送信手段を備えることを特徴とする通信システム。
【請求項２】
上記端末の受信品質情報送信手段は、上記各基地局が上記単位送信データを送信する送信タイミングと上記各基地局から到来する信号の時間差とを測定し、その時間差が許容範囲を超えた場合に、受信した最初の上記基準信号のみに基づいて上記受信信号強度情報を生成して上記基地局及び上記制御局に通知することを特徴とする請求項１記載の通信システム。
【請求項３】
制御局により制御される複数の基地局から非同期に送信される制御情報を端末が同時に受信し、通信制御を行う通信システムを構成する基地局において、
情報データと上記制御情報に対応する基準信号とを時間多重した単位送信データを送信する送信手段と、
上記端末において、受信された最初の基準信号のみに基づいて生成された受信品質情報に基づいて上記送信手段の送信電力を制御する制御手段とを備えることを特徴とする基地局。
【請求項４】
制御局により制御される複数の基地局から非同期に送信される制御情報を端末が同時に受信し、通信制御を行う通信システムを構成する端末において、
上記基地局から送信される情報データと上記制御情報に対応する基準信号とを時間多重した単位送信データを受信すると共に、最初に受信した上記基準信号のみに基づいて受信品質情報を生成して上記基地局及び上記制御局に通知する受信品質情報送信手段を備えることを特徴とする端末。
【請求項５】
制御局により制御される複数の基地局から非同期に送信される信号を端末が同時に受信する通信システムにおいて、
上記基地局は、情報データと基準信号とを時間多重した単位送信データを送信する送信手段と、上記端末から送られてくる受信品質情報に基づいて上記送信手段の送信電力を制御する制御手段とを備え、
上記端末は、複数の基地局から受信した信号を合成して計算した受信信号強度情報を、次に単位送信データが上記基地局から送信されてくる送信タイミングで、送信する受信品質情報送信手段を備えることを特徴とする通信システム。
【請求項６】
制御局により制御される複数の基地局から非同期に送信される信号を端末が同時に受信する通信システムを構成する基地局において、
情報データと基準信号とを時間多重した単位送信データを送信する送信手段と、
上記端末において、複数の当該基地局から送信された信号が合成されて計算された受信品質情報に基づいて上記送信手段の送信電力を制御する制御手段とを備えることを特徴とする基地局。
【請求項７】
制御局により制御される複数の基地局から非同期に送信される信号を端末が同時に受信する通信システムを構成する端末において、
上記複数の基地局から受信した信号を合成して計算した受信信号強度情報を、次の単位送信データが上記基地局から送信されてくる送信タイミングで、送信する受信品質情報送信手段を備えることを特徴とする端末。
【請求項８】
制御局により制御され、それぞれ情報データとパイロット信号とを時間多重した単位送信データを送信する複数の基地局から非同期に送信される信号を端末が同時に受信するサイトダイバーシティを適用する通信システムにおいて、
上記端末は、上記各基地局が単位送信データを送信する送信タイミングと上記各基地局から到来する信号の時間差とを測定し、その時間差が許容範囲を超えた場合に、上記時間差が許容範囲を超えた基地局を特定する情報を上記時間差とともにタイミング異常情報として上記基地局及び上記制御局に通知するタイミング異常情報送信手段を備え、
上記制御局は、上記各基地局を介して上記端末に設定情報を送るとともに、上記各基地局を制御してサイトダイバーシティの制御を行う制御手段を備え、
上記制御局は、上記タイミング異常情報に基づいて、上記端末が受信不可能となった上記基地局を除去した設定情報を、上記端末が受信可能な上記基地局を介して、上記端末に送ることを特徴とする通信システム。
【請求項９】
上記制御局は、上記タイミング異常情報に対応して、上記時間差が許容範囲を超えた上記基地局と上記端末との間のサイトダイバーシティを一時停止し、上記基地局の送信タイミングを調整し、新しい送信タイミングで上記基地局と上記端末との間のサイトダイバーシティを再開させる制御を行う制御手段を備えることを特徴とする請求項８記載の通信システム。
【請求項１０】
上記端末は、新たに受信可能となった基地局から到来する信号の時間差を測定し、その時間差とともに上記新たに受信可能となった基地局を特定する情報を上記制御局に通知することにより通信開始要求を行い、
上記制御局は、上記端末からの新たな基地局との通信開始要求を受けて、上記新たな基地局の送信タイミングを調整して上記端末との間のサイトダイバーシティを開始させる制御を行うことを特徴とする請求項８記載の通信システム。
【請求項１１】
制御局により制御され、それぞれ情報データとパイロット信号とを時間多重した単位送信データを送信する複数の基地局から非同期に送信される信号を端末が同時に受信するサイトダイバーシティを適用する通信システムを構成する制御局において、
上記各基地局を介して上記端末に設定情報を送るとともに、上記各基地局を制御してサイトダイバーシティの制御を行う制御手段を備え、
上記端末において、上記各基地局が単位送信データを送信する送信タイミングと上記各基地局から到来される信号の時間差とが測定され、その時間差が許容範囲内を超えた場合に、上記時間差が許容範囲を超えた基地局が特定される情報であって、上記時間差が含まれたタイミング異常情報に基づいて、上記端末が受信不可能となった基地局を除去した設定情報を、上記端末が受信可能な上記基地局を介して、上記端末に送ることを特徴とする制御局。
【請求項１２】
制御局により制御され、それぞれ情報データとパイロット信号とを時間多重した単位送信データを送信する複数の基地局から非同期に送信される信号を端末が同時に受信するサイトダイバーシティを適用する通信システムを構成する端末において、
上記各基地局が単位送信データを送信する送信タイミングと上記各基地局から到来する信号の時間差とを測定し、その時間差が許容範囲を超えた場合に、上記時間差が許容範囲を超えた基地局を特定する情報を上記時間差とともにタイミング異常情報として上記基地局及び上記制御局に通知するタイミング異常情報送信手段を備えることを特徴とする端末。
【請求項１３】
制御局により制御され、それぞれ情報データとパイロット信号とを時間多重した送信データを送信する複数の基地局から非同期に送信される信号を端末が同時に受信するサイトダイバーシティを適用する通信システムにおいて、
上記端末は、上記各基地局が単位送信データを送信する送信タイミングと上記各基地局から到来する信号の時間差とを測定し、信号を受信している各基地局の特定する情報とともに各受信信号レベル及びタイミング情報を含む測定レポート情報を上記基地局及び上記制御局に通知する測定レポート情報送信手段と、上記制御局から上記基地局を介して送られてくる設定情報に応じた通信制御を行う通信制御手段とを備え、
上記制御局は、上記測定レポート情報に基づいて、上記各基地局を介して上記端末に上記設定情報を送るとともに、上記各基地局を制御してサイトダイバーシティの制御を行う制御手段を備え、
上記端末は、上記各基地局が単位送信データを送信する送信タイミングと上記各基地局から到来する信号の時間差とが許容範囲を超えた基地局は受信不可能と判定して、上記時間差が許容範囲を超えた基地局を上記設定情報から除去すべき旨を上記測定レポート情報により上記制御局に通知し、
上記制御局は、上記測定レポート情報に基づいて、上記端末が受信不可能となった基地局を除去した設定情報を、上記端末が受信可能な上記基地局を介して、上記端末に送ることを特徴とする通信システム。
【請求項１４】
上記端末は、新たに受信可能となった基地局から到来する信号の時間差を測定し、その時間差とともに上記新たに受信可能となった基地局を特定する情報を上記制御局に通知することにより通信開始要求を行い、
上記制御局は、上記端末からの新たな基地局との通信開始要求を受けて、上記新たな基地局の送信タイミングを調整して上記端末との間のサイトダイバーシティを開始させる制御を行うことを特徴とする請求項１３記載の通信システム。
【請求項１５】
上記制御局は、上記測定レポート情報に基づいて、上記時間差が許容範囲を超えた上記基地局と上記端末との間のサイトダイバーシティを一時停止し、上記基地局の送信タイミングを調整し、新しい送信タイミングで上記基地局と上記端末との間のサイトダイバーシティを再開させることを特徴とする請求項１３記載の通信システム。
【請求項１６】
制御局により制御され、それぞれ情報データとパイロット信号とを時間多重した単位送信データを送信する複数の基地局から非同期に送信される信号を端末が同時に受信するサイトダイバーシティを適用する通信システムを構成する制御局において、
上記端末において、上記各基地局が単位送信データを送信する送信タイミングと上記各基地局から到来される信号の時間差とが測定され、信号が受信されている各基地局が特定される情報であって、各受信信号レベル及びタイミング情報が含まれた測定レポート情報に基づいて、上記各基地局を介して上記端末に設定情報を送るとともに、上記各基地局を制御してサイトダイバーシティの制御を行う制御手段を備え、
上記測定レポート情報に基づいて、上記端末が受信不可能となった基地局を除去した設定情報を、上記端末が受信可能な基地局を介して、上記端末に送ることを特徴とする制御局。
【請求項１７】
制御局により制御され、それぞれ情報データとパイロット信号とを時間多重した送信データを送信する複数の基地局から非同期に送信される信号を端末が同時に受信するサイトダイバーシティを適用する通信システムを構成する端末において、
上記各基地局が単位送信データを送信する送信タイミングと上記各基地局から到来する信号の時間差とを測定し、信号を受信している各基地局を特定する情報とともに各受信信号レベル及びタイミング情報を含む測定レポート情報を上記基地局及び上記制御局に通知する測定レポート情報を送信する送信手段と、上記制御局から上記基地局を介して送られてくる設定情報に応じた通信制御を行う通信制御手段とを備え、
上記送信タイミングと上記各基地局から到来される信号の時間差とが許容範囲を超えた基地局は受信不可能と判定して、上記時間差が許容範囲を超えた基地局を設定情報から除去すべき旨を上記測定レポート情報により制御局に通知することを特徴とする端末。
【手続補正３】
【補正対象書類名】明細書
【補正対象項目名】００３４
【補正方法】変更
【補正の内容】
【００３４】
【課題を解決するための手段】
本発明は、制御局により制御される複数の基地局から非同期に送信される制御信号を端末が同時に受信し、通信制御を行う通信システムにおいて、上記基地局は、情報データと上記制御情報に対応する基準信号とを時間多重した単位送信データを送信する送信手段と、上記端末から送られてくる受信品質情報に基づいて上記送信手段の送信電力を制御する制御手段とを備え、上記端末は、受信した最初の上記基準信号のみに基づいて受信品質情報を生成して上記基地局及び上記制御局に通知する受信品質情報送信手段を備えることを特徴とする。
また、本発明は、制御局により制御される複数の基地局から非同期に送信される制御情報を端末が同時に受信し、通信制御を行う通信システムを構成する基地局において、情報データと上記制御情報に対応する基準信号とを時間多重した単位送信データを送信する送信手段と、上記端末において、受信された最初の基準信号のみに基づいて生成された受信品質情報に基づいて上記送信手段の送信電力を制御する制御手段とを備えることを特徴とする。
また、本発明は、制御局により制御される複数の基地局から非同期に送信される制御情報を端末が同時に受信し、通信制御を行う通信システムを構成する端末において、上記基地局から送信される情報データと上記制御情報に対応する基準信号とを時間多重した単位送信データを受信すると共に、最初に受信した上記基準信号のみに基づいて受信品質情報を生成して上記基地局及び上記制御局に通知する受信品質情報送信手段を備えることを特徴とする。
【手続補正４】
【補正対象書類名】明細書
【補正対象項目名】００３５
【補正方法】変更
【補正の内容】
【００３５】
また、本発明は、制御局により制御される複数の基地局から非同期に送信される信号を端末が同時に受信する通信システムにおいて、上記基地局は、情報データと基準信号とを時間多重した単位送信データを送信する送信手段と、上記端末から送られてくる受信品質情報に基づいて上記送信手段の送信電力を制御する制御手段とを備え、上記端末は、複数の基地局から受信した信号を合成して計算した受信信号強度情報を次の単位送信データが上記基地局から送信されてくる送信タイミングで送信する受信品質情報送信手段を備えることを特徴とする。
また、本発明は、制御局により制御される複数の基地局から非同期に送信される信号を端末が同時に受信する通信システムを構成する基地局において、情報データと基準信号とを時間多重した単位送信データを送信する送信手段と、上記端末において、複数の当該基地局から送信された信号が合成されて計算された受信品質情報に基づいて上記送信手段の送信電力を制御する制御手段とを備えることを特徴とする。
また、本発明は、制御局により制御される複数の基地局から非同期に送信される信号を端末が同時に受信する通信システムを構成する端末において、上記複数の基地局から受信した信号を合成して計算した受信信号強度情報を、次の単位送信データが上記基地局から送信されてくる送信タイミングで、送信する受信品質情報送信手段を備えることを特徴とする。
【手続補正５】
【補正対象書類名】明細書
【補正対象項目名】００３６
【補正方法】変更
【補正の内容】
【００３６】
また、本発明は、制御局により制御され、それぞれ情報データとパイロット信号とを時間多重した単位送信データを送信する複数の基地局から非同期に送信される信号を端末が同時に受信するサイトダイバーシティを適用する通信システムにおいて、上記端末は、上記各基地局が単位送信データを送信する送信タイミングと上記各基地局から到来する信号の時間差とを測定し、その時間差が許容範囲を超えた場合に、上記時間差が許容範囲を超えた基地局を特定する情報を上記時間差とともにタイミング異常情報として上記基地局及び上記制御局に通知するタイミング異常情報送信手段を備え、上記制御局は、上記各基地局を介して上記端末に設定情報を送るとともに、上記各基地局を制御してサイトダイバーシティの制御を行う制御手段を備え、上記制御局は、上記タイミング異常情報に基づいて、上記端末が受信不可能となった上記基地局を除去した設定情報を上記端末が受信可能な上記基地局を介して上記端末に送ることを特徴とする。
また、本発明は、制御局により制御され、それぞれ情報データとパイロット信号とを時間多重した単位送信データを送信する複数の基地局から非同期に送信される信号を端末が同時に受信するサイトダイバーシティを適用する通信システムを構成する制御局において、上記各基地局を介して上記端末に設定情報を送るとともに、上記各基地局を制御してサイトダイバーシティの制御を行う制御手段を備え、上記端末において、上記各基地局が単位送信データを送信する送信タイミングと上記各基地局から到来される信号の時間差とが測定され、その時間差が許容範囲内を超えた場合に、上記時間差が許容範囲を超えた基地局が特定される情報であって、上記時間差が含まれたタイミング異常情報に基づいて、上記端末が受信不可能となった基地局を除去した設定情報を、上記端末が受信可能な上記基地局を介して、上記端末に送ることを特徴とする。
また、本発明は、制御局により制御され、それぞれ情報データとパイロット信号とを時間多重した単位送信データを送信する複数の基地局から非同期に送信される信号を端末が同時に受信するサイトダイバーシティを適用する通信システムを構成する端末において、上記各基地局が単位送信データを送信する送信タイミングと上記各基地局から到来する信号の時間差とを測定し、その時間差が許容範囲を超えた場合に、上記時間差が許容範囲を超えた基地局を特定する情報を上記時間差とともにタイミング異常情報として上記基地局及び上記制御局に通知するタイミング異常情報送信手段を備えることを特徴とする。
【手続補正６】
【補正対象書類名】明細書
【補正対象項目名】００３７
【補正方法】変更
【補正の内容】
【００３７】
また、本発明は、制御局により制御され、それぞれ情報データとパイロット信号とを時間多重した送信データを送信する複数の基地局から非同期に送信される信号を端末が同時に受信するサイトダイバーシティを適用する通信システムにおいて、上記端末は、上記各基地局が単位送信データを送信する送信タイミングと上記各基地局から到来する信号の時間差とを測定し、信号を受信している各基地局の特定する情報とともに各受信信号レベル及びタイミング情報を含む測定レポート情報を上記基地局及び上記制御局に通知する測定レポート情報送信手段と、上記制御局から上記基地局を介して送られてくる設定情報に応じた通信制御を行う通信制御手段とを備え、上記制御局は、上記測定レポート情報に基づいて、上記各基地局を介して上記端末に上記設定情報を送るとともに、上記各基地局を制御してサイトダイバーシティの制御を行う制御手段を備え、上記端末は、上記各基地局が単位送信データを送信する送信タイミングと上記各基地局から到来する信号の時間差とが許容範囲を超えた基地局は受信不可能と判定して、上記時間差が許容範囲を超えた基地局を上記設定情報から除去すべき旨を上記測定レポート情報により制御局に通知し、上記制御局は、上記測定レポート情報に基づいて、上記端末が受信不可能となった基地局を除去した設定情報を、上記端末が受信可能な基地局を介して、上記端末に送ることを特徴とする。
また、本発明は、御局により制御され、それぞれ情報データとパイロット信号とを時間多重した単位送信データを送信する複数の基地局から非同期に送信される信号を端末が同時に受信するサイトダイバーシティを適用する通信システムを構成する制御局において、上記端末において、上記各基地局が単位送信データを送信する送信タイミングと上記各基地局から到来される信号の時間差とが測定され、信号が受信されている各基地局が特定される情報であって、各受信信号レベル及びタイミング情報が含まれた測定レポート情報に基づいて、上記各基地局を介して上記端末に設定情報を送るとともに、上記各基地局を制御してサイトダイバーシティの制御を行う制御手段を備え、上記測定レポート情報に基づいて、上記端末が受信不可能となった基地局を除去した設定情報を、上記端末が受信可能な基地局を介して、上記端末に送ることを特徴とする。
また、本発明は、制御局により制御され、それぞれ情報データとパイロット信号とを時間多重した送信データを送信する複数の基地局から非同期に送信される信号を端末が同時に受信するサイトダイバーシティを適用する通信システムを構成する端末において、上記各基地局が単位送信データを送信する送信タイミングと上記各基地局から到来する信号の時間差とを測定し、信号を受信している各基地局を特定する情報とともに各受信信号レベル及びタイミング情報を含む測定レポート情報を上記基地局及び上記制御局に通知する測定レポート情報を送信する送信手段と、上記制御局から上記基地局を介して送られてくる設定情報に応じた通信制御を行う通信制御手段とを備え、上記送信タイミングと上記各基地局から到来される信号の時間差とが許容範囲を超えた基地局は受信不可能と判定して、上記時間差が許容範囲を超えた基地局を設定情報から除去すべき旨を上記測定レポート情報により制御局に通知することを特徴とする。